(57)【要約】【課題】所望する写真、印刷物、広告、メモ紙などの薄葉体を容易に掲示できるクリップを提供する。【解決方法】長尺の素材を、折り曲げ基部３の下屈曲部３−１で上方に折り曲げ、幅を持たせてさらに上屈曲部３−２で手前に折り曲げ戻し、互いに適宜の挟持力を有して接触状態を成す、下挟持板２aと中挟持板２bとを形成し、中挟持板２bは、折り曲げ基部３とは反対の折り曲げ部５で開口部Ｋとは逆方向に折り返されて上挟持板６を形成した三重に折り曲げたクリップであって、下挟持板２aに、下屈曲部３−１から開口部Ｋ側にかけての中間において、中挟持板２bに近づく方向に折り曲げ線２a−１を幅方向に形成し、中挟持板２bに、上屈曲部３−２から開口部Ｋ側にかけての中間において、下挟持板２aに近づく方向に折り曲げ線２b−１を幅方向に形成し、下挟持板２a及び中挟持板２bを互いに反対方向に反るように「くの字」形に折り曲げたことを特徴とするクリップ。【選択図】  図１
2007021917.tif 000002
【特許請求の範囲】
【請求項１】
長尺の素材を、折り曲げ基部の下屈曲部で上方に折り曲げ、幅を持たせてさらに上屈曲部で手前に折り曲げ戻し、互いに適宜の挟持力を有して接触状態を成す、下挟持板と中挟持板とを形成し、中挟持板は、折り曲げ基部とは反対の折り曲げ部で開口部とは逆方向に折り返されて上挟持板を形成した三重に折り曲げたクリップであって、
下挟持板に、下屈曲部から開口部側にかけての中間において、中挟持板に近づく方向に折り曲げ線を幅方向に形成し、中挟持板に、上屈曲部から開口部側にかけての中間において、下挟持板に近づく方向に折り曲げ線を幅方向に形成し、下挟持板及び中挟持板を互いに反対方向に反るように「くの字」形に折り曲げたことを特徴とするクリップ。
【請求項２】
前記上挟持板の中央部に、中挟持板方向に矩形上に陥没した凹部を形成し、凹部面としたことを特徴とする請求項１に記載のクリップ。
【請求項３】
前記上挟持板の矩形状の凹部面の四隅を面取りし、それぞれの四隅には写真等の薄葉体の四隅を挿入して固定するための挿入スリットを設けたことを特徴とする請求項１に記載のクリップ。
【請求項４】
上挟持板の上部に矩形状の透明板を積層し、上挟持板と透明板とで形成された間隙の一つの周縁部を開口状態とし、他の三つの周縁部はその間隙を閉じ、開口状態の間隙を挿入口としたことを特徴とする請求項１に記載のクリップ。
【請求項５】
上挟持板の中央部を矩形状にくり抜いてくり抜き部を設けるとともに、その周縁に額縁形状の周縁部を設け、周縁部の左右端部を直角に折り曲げ、中挟持部方向にわずかの寸法で延説したサイド板を設けるとともに、さらに、上挟持板のくり抜き部を覆うように透明板を配設したことを特徴とする請求項１に記載のクリップ。
【請求項６】
前記上挟持板の周縁部の、下端部に矩形溝、両側端部に突設板を設け、前記中挟持板の下端部に、上挟持板の下端部と係止する鉤型留め具を設け、中挟持板の両側端部には、上挟持板の突設板と係止する矩形溝を設け、上挟持板を中挟持板に着脱できるようにしたことを特徴とする請求項１に記載のクリップ。
【請求項７】
前記上挟持板の上面に、上挟持板の周縁部の片側端部に設けた蝶番により開閉自在に蓋板を取り付け、蓋板の左側端部略中央にその片側端部に突設部を設け、上挟持板の周縁部の左側端部の一部を切り欠いて係止部を設け、蓋板を上挟持板の周縁部に係止できるようにしたことを特徴とする請求項１に記載のクリップ。
【発明の詳細な説明】
【技術分野】
【０００１】
本発明は、書類などの用紙を挟持するクリップに関し、詳細には、写真、印刷物、広告、メモ紙などの薄葉体を容易に掲示できるクリップに関する。
【背景技術】
【０００２】
従来から書類など用紙を綴じる弾性板状体で構成されるクリップとしては、
（１）指掛け部付きクリップで、用紙からクリップを取り外しやすくするため、クリップの挟持板に指掛け部を設けたもの（特許文献１参照）、
（２）取り扱いに優れ、しかも綴じられる紙類に折れ目や皺等を付ける心配がない汎用性の高いクリップとしたもの（特許文献２参照）、
（３）多めの用紙等を左右にずれることなくしっかりと挟み、めくる時にはずれにくく、また積み重ねても嵩張らずそのままファイルに綴じ込みが出来て、指の力で開閉して挟める安価なクリップとしたもの（特許文献３参照）などがある。
【０００３】
【特許文献１】特開平０７−３２９４７１号公報
【特許文献２】特開２０００−１８５４９１号公報
【特許文献３】特開２００１−１５８１８６号公報
【発明の開示】
【発明が解決しようとする課題】
【０００４】
前記に提案されている各クリップは、クリップの機能として、（１）容易な取り扱い性、（２）被挟着物に傷をつけない、（３）ずれることなくしっかり挟む、などの諸機能改善を目的とするものである。
本発明は、日常生活において書類を綴じるために多用され、人目に触れることの多いクリップに所望する写真、印刷物、広告、メモ紙などの薄葉体を容易に掲示できるクリップを提供することを目的とする。
【課題を解決するための手段】
【０００５】
本発明の請求項１のクリップは、長尺の素材を、折り曲げ基部３の下屈曲部３−１で上方に折り曲げ、幅を持たせてさらに上屈曲部３−２で手前に折り曲げ戻し、互いに適宜の挟持力を有して接触状態を成す、下挟持板２ａと中挟持板２ｂとを形成し、中挟持板２ｂは、折り曲げ基部３とは反対の折り曲げ部５で開口部Ｋとは逆方向に折り返されて上挟持板６を形成した三重に折り曲げたクリップであって、下挟持板２ａに、下屈曲部３−１から開口部Ｋ側にかけての中間において、中挟持板２ｂに近づく方向に折り曲げ線２ａ−１を幅方向に形成し、中挟持板２ｂに、上屈曲部３−２から開口部Ｋ側にかけての中間において、下挟持板２ａに近づく方向に折り曲げ線２ｂ−１を幅方向に形成し、下挟持板２ａ及び中挟持板２ｂを互いに反対方向に反るように「くの字」形に折り曲げたことを特徴とする。
請求項２のクリップは、請求項１において、前記上挟持板６の中央部に、中挟持板２ｂ方向に矩形上に陥没した凹部を形成し、凹部面７としたことを特徴とする。
請求項３のクリップは、請求項１において、前記上挟持板６の矩形状の凹部面７の四隅を面取りし、それぞれの四隅には写真等の薄葉体１０の四隅を挿入して固定するための挿入スリット８を設けたことを特徴とする。
請求項４のクリップは、請求項１において、上挟持板６の上部に矩形状の透明板１６を積層し、上挟持板６と透明板１６とで形成された間隙の一つの周縁部を開口状態とし、他の三つの周縁部はその間隙を閉じ、開口状態の間隙を挿入口１７としたことを特徴とする。
請求項５のクリップは、請求項１において、上挟持板６の中央部を矩形状にくり抜いてくり抜き部６ｃを設けるとともに、その周縁に額縁形状の周縁部６ｄを設け、周縁部６ｄの左右端部を直角に折り曲げ、中挟持部２ｂ方向にわずかの寸法で延説したサイド板１１を設けるとともに、さらに、上挟持板６のくり抜き部６ｃを覆うように透明板を配設したことを特徴とする。
請求項６のクリップは、請求項１において、前記上挟持板６の周縁部１２の、下端部に矩形溝１５ａ、両側端部に突設板１５ｂを設け、前記中挟持板２ｂの下端部に、上挟持板６の下端部と係止する鉤型留め具１４ａを設け、中挟持板２ｂの両側端部には、上挟持板６の突設板１５ｂと係止する矩形溝１４ｂを設け、上挟持板６を中挟持板２ｂに着脱できるようにしたことを特徴とする。
請求項７のクリップは、請求項１において、前記上挟持板６の上面に、上挟持板６の周縁部１２の片側端部に設けた蝶番１２ｅにより開閉自在に蓋板１２ｂを取り付け、蓋板１２ｂの左側端部略中央にその片側端部に突設部１２ｃを設け、上挟持板６の周縁部１２の左側端部の一部を切り欠いて係止部１２ｄを設け、蓋板１２ｂを上挟持板６の周縁部１２に係止できるようにしたことを特徴とする。
【発明の効果】
【０００６】
書類など挟むクリップにおいて、上側挟持板の表面部に写真、印刷物、広告紙、メモ紙など種々の薄葉体を掲示できる機能や、鏡面機能を持たせているから、単に書類綴じとしてばかりではなく日常生活の趣味的な満足感や利便性、実用性を提供できる。
【発明を実施するための最良の形態】
【０００７】
以下、図面を参照しながら本発明のクリップの実施の形態を詳細に説明する。
(実施の形態１)
図１は本発明の実施の形態１のクリップの斜視図であり、図２は実施の形態１のクリップの、正面図（ａ）、平面図（ｂ）、左側面図（ｃ）である。
実施の形態１のクリップ１は、その素材として鋼板、ステンレス、真鍮などの金属やプラスチックス（合成樹脂）などの弾性板状体が使用される。
まず、長尺の素材を、一旦、折り曲げ基部３の下屈曲部３−１で上方に折り曲げ、少しの幅を持たせてさらに上屈曲部３−２で手前に折り曲げ戻し、互いに適宜の挟持力を有して接触状態を成す、下挟持板２ａと中挟持板２ｂとを形成する。下屈曲部３−１と上屈曲部３−２との中間に形成される折り曲げ基部３の幅３Ｈは、対象とする書類の厚さに応じて種々の寸法に設定される。
また、実施の形態１のクリップ１に対して書類を挿入する開口部Ｋ側（折り曲げ基部３の反対側）の下挟持板２ａの中央部が、その左右両端よりも先頭に突出して挿入ガイド部４を形成している。
【０００８】
さらに、下挟持板２ａには、下屈曲部３−１から開口部Ｋ側にかけての中間において、中挟持板２ｂに近づく方向に折り曲げ線２ａ−１が幅方向に形成されており、中挟持板２ｂにも、上屈曲部３−２から開口部Ｋ側にかけての中間において、下挟持板２ａに近づく方向に折り曲げ線２ｂ−１が幅方向に形成され、下挟持板２ａ及び中挟持板２ｂを互いに反対方向に反るように「くの字」形に折り曲げられている。
このように折り曲げ線２ａ−１及び折り曲げ線２ｂ−１を設けることによって、下挟持板２ａと中挟持板２ｂとの接触面積を増やし、被挟持物である書類が、適度な強さで挟持できるようにしている。
また、中挟持板２ｂは、前記折り曲げ基部３とは反対の折り曲げ部５で開口部Ｋとは逆方向に折り返されて上挟持板６を形成し、その中央部は中挟持板２ｂ方向に矩形上に陥没した凹部が形成されて、凹部面７とされている。
【０００９】
この凹部面７内に、写真、印刷物、広告紙、メモ紙などの薄葉体を、所望に応じて貼着掲示することができる。この凹部面７が、上挟持板６の面位置よりも一段下がった位置に形成されているから、凹部面７内に薄葉体を定位置に整然と貼着掲示できる。
さらに、凹部面７となっているから、クリップとして使用中の擦れなどにより、貼着掲示物が容易にめくれたり、剥がれたりすることを防止できる。
なお、この凹部面７の平面輪郭は、図１，２に示すような矩形状の他、円形、楕円形、花形、その他種々の形状とすることができ、挿入ガイド部４の先端形状は、図２（ａ）に示すように、本実施の形態１のように３角形状の他、丸形状、波形状などとすることができる。
ここで、左側面図（ｃ）に示す破線７ｂは、凹部面７の底面である。
【００１０】
本実施の形態１のクリップは、この矩形状の凹部面７内に、近時、若年層とくに女子高生に人気の高い所謂「プリント倶楽部」（商標）やプリントシールと呼ばれるシール写真（粘着面付写真）を貼着することに適している。シール写真の定型サイズに応じて、縦・横サイズまたは輪郭形状に応じた凹部面７を予め設けておくこともできる。その他、写真に限らず、所望の文字・図案を印刷したラベル等を貼着掲示することもでき、図１に示すように、折り曲げ基部３の一部を開口してここにボールチェインなどを設け、衣服などに取り付けることもできる。
【００１１】
（実施の形態２）
図３は、本発明のクリップの実施の形態２の斜視図（ａ）、及びクリップに写真を貼着掲示した状態を示す斜視図（ｂ）である。実施の形態２のクリップは、下挟持部２ａ及び中挟持部２ｂの構造は、前記実施の形態１と略同様であるが、上挟持板６が異なっている。
実施の形態２の上挟持板６は、図３（ａ）に示すように、上挟持板６の矩形状の凹部面７の四隅が面取りされており、それぞれの四隅には写真等の四隅を挿入して固定するための挿入スリット８が設けられている。図３（ｂ）は、写真６ａの四隅を、凹部面７の挿入スリット８内に差込んで固定した状態を示している。
なお、写真６ａ等の掲示物の四隅を利用して凹部面７に固定することができるから、掲示物の裏面に粘着糊などを塗る必要がないという利点がある。
【００１２】
（実施の形態３）
図４は、本発明のクリップの実施の形態３の斜視図である。実施の形態３のクリップは、下挟持部２ａ及び中挟持部２ｂの構造は、前記実施の形態１と略同様であるが、上挟持板６が異なっている。すなわち、実施の形態３クリップは、実施の形態１の凹部面７の代わりに、上挟持板６に枠型の刻印溝６ｂを設けたものである。実施の形態３の刻印溝６ｂは、矩形状、円形状など所望の輪郭形状とすることが出来る。このような刻印溝６ｂの枠型があることにより、凹部を形成しなくても、写真やラベルを所定位置に整然と見栄えよく貼着掲示することができる。
【００１３】
（実施の形態４）
図５は、本発明のクリップの実施の形態４の斜視図である。実施の形態４のクリップは、下挟持部２ａ及び中挟持部２ｂの構造は、前記実施の形態１と略同様であるが、上挟持板６の構造が異なっている。すなわち、実施の形態４クリップにおいては、上挟持板６には、その上部に矩形状の透明板１６を重ねてある。上挟持板６と透明板１６との間隙は、その一つの周縁部が開口状態に積層されており、他の三つの周縁部はその間隙が閉じられている。開口されている間隙は挿入口１７として、図５に示すように「回覧」などの掲示物を矢印方向に挿入することができる。
なお、挿入口１７への掲示物の挿入がスムースに出来るように、上挟持板６と透明板１６との間隙はある程度の厚みが確保されていることが望ましい。
【００１４】
（実施の形態５）
図６は、本発明のクリップの実施の形態５の斜視図である。実施の形態５のクリップは、下挟持部２ａ及び中挟持部２ｂの構造は、前記実施の形態１と略同様であるが、上挟持板６の構造が異なっている。すなわち、実施の形態５クリップにおいては、上挟持板６の一部または全面を鏡面とされているので、クリップの表面に美的効果を付与させることができる。
なお、鏡面部９は、素材の金属またはプラスチック素材の表面に光沢メッキ（またはメッキ後に鏡面研磨仕上げ）を施したり、鏡面研磨したり、またはガラス製鏡板を張り付けたりすることで形成することができる。
【００１５】
（実施の形態６）
図７は、本発明のクリップの実施の形態６の正面図（ａ）、平面図（ｂ）、左側面図（ｃ）である。実施の形態６のクリップは、下挟持部２ａ及び中挟持部２ｂの構造は、前記実施の形態１と略同様であるが、上挟持板６の構造が異なっている。すなわち、この上挟持板６はその中央部を矩形状にくり抜いてくり抜き部６ｃを設けるとともに、その周縁に額縁形状の周縁部６ｄを設けている。
また、周縁部６ｄの左右端部を直角に折り曲げ、中挟持部２ｂ方向にわずかの寸法で延説したサイド板１１を設けるとともに、上挟持板６の周縁部６ｄの一部に花柄模様などの刻印図柄１２ａを設け、上挟持板６の美的演出効果を高めることができる。さらに、上挟持板６のくり抜き部６ｃを覆うように透明板を配設することもできる。
なお、実施の形態６のクリップには、上挟持板６と中挟持板２ｂとの間隙に、写真、印刷物などの薄葉体１０を、折り曲げ部３−２の上部から矢印のように挿入する。挿入された写真や印刷物などの薄葉体１０は、上挟持板６のくり抜き部６ｃを通して閲覧できるともに、薄葉体１０の周縁を額縁形状の周縁部６ｄで固定することができる。さらに、挿入された薄葉体１０は、サイド板１１により、左右方向にずれ出ることを防止できる。
【００１６】
（実施の形態７）
図８は、本発明のクリップの実施の形態７の正面図（ａ）、平面図（ｂ）、左側面図（ｃ）である。実施の形態７のクリップは、下挟持部２ａ及び上挟持板６の構造は、前記実施の形態７と略同様であるが、中挟持部２ｂの構造が異なっている。すなわち、中挟持板２ｂの中央部にＵ字形の細い切り溝２ｃを入れて、上端部が接続され下端部が切り離された舌片状の押さえ板２ｄを設けたものである。この押さえ板２ｄは、「くの字」形の中挟持板２ｂに対し、平坦ないし少し右方（同図の左側面図では中央部が右方向に突出している）に反っているので、挿入された写真、印刷物などの薄葉体１０を、くり抜き部６ｃを覆うように設けられている透明板に強く固定する作用をする。
【００１７】
（実施の形態８）
図９は、本発明のクリップの実施の形態８の分解斜視図である。実施の形態８のクリップは、下挟持部２ａ、中挟持部２ｂ及び押さえ板２ｄの構造は、前記実施の形態７と略同様であるが、上挟持板６の構造が異なっている。すなわち、図９に示すように、上挟持板６の周縁部１２の、下端部には矩形溝１５ａ、両側端部には突設板１５ｂ、１５ｂ（片側のみ図示する）が設けられ、他方、中挟持板２ｂの下端部には、上挟持板６の下端部と係止する鉤型留め具１４ａが設けられているとともに、中挟持板２ｂの両側端部には、上挟持板６の突設板１５ｂ、１５ｂと係止する矩形溝１４ｂ、１４ｂが設けられている。
実施の形態８のクリップには、上挟持板６を中挟持板２ｂから脱着させて写真、印刷物などの薄葉体１０を挟み込むことができるので、薄葉体１０の交換などを容易に行うことができる。
【００１８】
（実施の形態９）
図１０は、本発明のクリップの実施の形態９の分解斜視図である。実施の形態９のクリップは、下挟持部２ａ、中挟持部２ｂ及び押さえ板２ｄの構造は、前記実施の形態８と略同様であるが、上挟持板６の構造が異なっている。すなわち、上挟持板６の上面には、上挟持板６の周縁部１２の片側端部に設けた蝶番１２ｅにより開閉自在に蓋板１２ｂが取り付けられている。さらに、蓋板１２ｂの左側端部略中央にはその片側端部に突設部１２ｃを設け、上挟持板６の周縁部１２の左側端部の一部を切り欠いて係止部１２ｄを設け、蓋板１２ｂを上挟持板６の周縁部１２に係止できるようにしている。
なお、蓋板１２ｂは、実施の形態９のように上挟持板６の上面に取り付けるばかりではなく、実施の形態１、６、７で説明した上挟持板、鏡面の上面を覆うように開閉自在に取り付けることができる。この蓋板１２ｂを配設することにより、掲示面や鏡面を常時は隠したり保護したりすることができる。
【００１９】
図１１は、本発明のクリップを書類の左側面上部に装着した状態を示す斜視図である。上挟持板に、猫の図案の写真を貼着掲示する例を示す。
【産業上の利用可能性】
【００２０】
書類など挟むクリップにおいて、上挟持板の表面部に写真、印刷物、広告紙、メモ紙など種々の薄葉体を掲示できる機能や鏡面機能などを持たせているから、単に書類綴じとしてばかりではなく日常生活の趣味的な満足感や利便性、実用性を併せて有するクリップを提供する。
【図面の簡単な説明】
【００２１】
【図１】本発明の実施の形態１のクリップの斜視図である。
【図２】実施の形態１のクリップの、正面図（ａ）、平面図（ｂ）、左側面図（ｃ）である。
【図３】実施の形態２のクリップの斜視図（ａ）、及びクリップに写真をした状態を示す斜視図（ｂ）である。
【図４】実施の形態３のクリップの斜視図である。
【図５】実施の形態４のクリップの斜視図である。
【図６】実施の形態５のクリップの斜視図である。
【図７】実施の形態６のクリップの正面図（ａ）、平面図（ｂ）、左側面図（ｃ）である。
【図８】実施の形態７のクリップの正面図（ａ）、平面図（ｂ）、左側面図（ｃ）である。
【図９】実施の形態８のクリップの分解斜視図である。
【図１０】実施の形態９のクリップの分解斜視図である。
【図１１】本発明のクリップを書類の左側面上部に装着した状態を示す斜視図である。
【符号の説明】
【００２２】
１  クリップ
２ａ  下挟持板
２ｂ  中挟持板
２ｃ  切り溝
２ｄ  押さえ板
２ａ−１  折り曲げ線
２ｂ−１  折り曲げ線
３  折り曲げ基部
３−１  下屈曲部
３−２  上屈曲部
３Ｈ  折り曲げ基部３の幅
４  挿入ガイド部
５  折り曲げ部
６  上挟持板
６ａ  写真
６ｂ  刻印溝
６ｃ  くり抜き部
６ｄ  周縁部
７  凹部面
７ｂ  破線
８  挿入スリット
９  鏡面部
１０  薄葉体
１１  サイド板
１２  周縁部
１２ａ  刻印図柄
１２ｂ  蓋板
１２ｃ  突設部
１２ｄ  係止部
１２ｅ  蝶番
１４ａ  鉤型留め具
１４ｂ、１４ｂ  矩形溝
１５ａ  矩形溝
１５ｂ  突設板
１６  透明板
１７  挿入口
Ｋ  開口部
【図１】
2007021917.tif 000003
【図２】
2007021917.tif 000004
【図３】
2007021917.tif 000005
【図４】
2007021917.tif 000006
【図５】
2007021917.tif 000007
【図６】
2007021917.tif 000008
【図７】
2007021917.tif 000009
【図８】
2007021917.tif 000010
【図９】
2007021917.tif 000011
【図１０】
2007021917.tif 000012
【図１１】
2007021917.tif 000013